(57)【特許請求の範囲】
【請求項１】
所定のプログラムの映像データを受信して処理する映像処理装置において、
ユーザが選択するプログラムの映像データを抽出する抽出手段と、
前記抽出手段により抽出した前記プログラムの複数の映像符号化情報を取得する取得手段と、
前記映像符号化情報の組み合わせと信号処理パラメータの対応表が記憶されている記憶手段と、
前記記憶手段に記憶されている、前記映像符号化情報の組み合わせと信号処理パラメータの対応表に基づいて、前記プログラムの映像信号を処理する信号処理パラメータとして、前記取得手段により取得された複数の前記映像符号化情報の組み合わせに対応する信号処理パラメータを設定する設定手段と
を備える映像処理装置。
【請求項２】
前記抽出手段は、前記プログラムの映像データをトランスポートストリームから抽出し、
前記取得手段は、前記映像符号化情報を、前記トランスポートストリームに含まれるサービスインフォメーションから取得する
請求項１に記載の映像処理装置。
【請求項３】
前記信号処理パラメータを、ユーザからの入力により変更する変更手段をさらに備える
請求項１に記載の映像処理装置。
【請求項４】
前記設定手段により設定された前記信号処理パラメータに応じて、画質調整処理を行う信号処理手段をさらに備える
請求項１に記載の映像処理装置。
【請求項５】
映像符号化情報の組み合わせと信号処理パラメータの対応表が記憶されている記憶手段を備え、所定のプログラムの映像データを受信して処理する映像処理装置の映像処理方法において、
ユーザが選択するプログラムの映像データを抽出する抽出ステップと、
前記抽出ステップの処理により抽出した前記プログラムの複数の映像符号化情報を取得する取得ステップと、
前記記憶手段に記憶されている、前記映像符号化情報の組み合わせと信号処理パラメータの対応表に基づいて、前記プログラムの映像信号を処理する信号処理パラメータとして、前記取得ステップの処理により取得した複数の前記映像符号化情報の組み合わせに対応する信号処理パラメータを設定する設定ステップと
を含む映像処理方法。
【請求項６】
前記設定ステップの処理により設定された前記信号処理パラメータに応じて、画質調整処理を行う信号処理ステップをさらに含む
請求項５に記載の映像処理方法。
【請求項７】
映像符号化情報の組み合わせと信号処理パラメータの対応表が記憶されている記憶手段を備え、所定のプログラムの映像データを受信して処理する映像処理装置のプログラムにおいて、
ユーザが選択するプログラムの映像データを抽出する抽出ステップと、
前記抽出ステップの処理により抽出した前記プログラムの複数の映像符号化情報を取得する取得ステップと、
前記記憶手段に記憶されている、前記映像符号化情報の組み合わせと信号処理パラメータの対応表に基づいて、前記プログラムの映像信号を処理する信号処理パラメータとして、前記取得ステップの処理により取得した複数の前記映像符号化情報の組み合わせに対応する信号処理パラメータを設定する設定ステップと
を含む処理をコンピュータに実行させるプログラムが記録されている記録媒体。
【請求項８】
前記設定ステップの処理により設定された前記信号処理パラメータに応じて、画質調整処理を行う信号処理ステップをさらに含む
請求項７に記載の記録媒体。
【発明の詳細な説明】
【０００１】
【発明の属する技術分野】
本発明は、映像処理装置、映像処理方法および記録媒体に関し、特に、画質の表示設定を自動的に変更することにより、受信したテレビジョン放送の番組を、常に最適な画質で表示させることができるようにした映像処理装置、映像処理方法および記録媒体に関する。
【０００２】
【従来の技術】
近年、ディジタル放送が本格的に開始され始めている。ディジタル放送においては、映像、音声などのデータがMPEG（Moving Picture Experts Group）方式などにより圧縮され、放送される。
【０００３】
ディジタルテレビジョン放送においては、データが圧縮されるため、アナログテレビジョン放送に比べて、多チャンネル高画質なコンテンツ（番組）を放送することが可能である。
【０００４】
ところで、従来のテレビジョン受像機においては、様々な画質を設定する機能が付加されており、ユーザの好みに応じて、画質を調節することが可能となっている。ディジタルテレビジョン放送の発達により、通常の動画像の他、静止画像、文字図形などの多くの種類のコンテンツが放送されるようになると、より多彩で、微妙な画質調整が求められる。
【０００５】
【発明が解決しようとする課題】
しかしながら、従来のテレビジョン受像機における画質の設定は、ユーザが、表示されている映像を肉眼で確認しながら手動操作により行うため、微妙な設定が困難となり、ユーザは、結局、番組毎に画質を調整するといったことはせず、どのような番組であっても、同一の画質で見ることが多かった。その結果、テレビジョン受像機が有する高度な機能を充分に発揮させることができない課題があった。
【０００６】
本発明はこのような状況に鑑みてなされたものであり、番組に応じて自動的に画面表示の設定を変えることにより、ユーザが、常に最適な画質で番組を視聴することができるようにするものである。
【０００７】
【課題を解決するための手段】
本発明の映像処理装置は、ユーザが選択するプログラムの映像データを抽出する抽出手段と、抽出手段により抽出したプログラムの複数の映像符号化情報を取得する取得手段と、前記映像符号化情報の組み合わせと信号処理パラメータの対応表が記憶されている記憶手段と、前記記憶手段に記憶されている、映像符号化情報の組み合わせと信号処理パラメータの対応表に基づいて、プログラムの映像信号を処理する信号処理パラメータとして、前記取得手段により取得された複数の前記映像符号化情報の組み合わせに対応する信号処理パラメータを設定する設定手段とを備えることを特徴とする。
【０００８】
本発明の映像処理装置には、プログラムの映像データを、トランスポートストリームから抽出する抽出手段と、プログラムの映像符号化情報を、トランスポートストリームに含まれるサービスインフォメーションから取得する取得手段とをさらに備えるようにすることができる。
【００１０】
本発明の映像処理装置には、信号処理パラメータを、ユーザからの入力により変更する変更手段をさらに備えるようにすることができる。
前記設定手段により設定された前記信号処理パラメータに応じて、画質調整処理を行う信号処理手段をさらに備えるようにすることができる。
【００１１】
本発明の映像処理装置の映像処理方法は、ユーザが選択するプログラムの映像データを抽出する抽出ステップと、抽出ステップの処理により抽出したプログラムの複数の映像符号化情報を取得する取得ステップと、記憶手段に記憶されている、映像符号化情報の組み合わせと信号処理パラメータの対応表に基づいて、プログラムの映像信号を処理する信号処理パラメータとして、前記取得ステップの処理により取得した複数の前記映像符号化情報の組み合わせに対応する信号処理パラメータを設定する設定ステップとを含むことを特徴とする。
前記設定ステップの処理により設定された前記信号処理パラメータに応じて、画質調整処理を行う信号処理ステップをさらに含むようにすることができる。
【００１２】
本発明の記録媒体のプログラムは、ユーザが選択するプログラムの映像データを抽出する抽出ステップと、抽出ステップの処理により抽出したプログラムの複数の映像符号化情報を取得する取得ステップと、記憶手段に記憶されている、映像符号化情報の組み合わせと信号処理パラメータの対応表に基づいて、プログラムの映像信号を処理する信号処理パラメータとして、前記取得ステップの処理により取得した複数の前記映像符号化情報の組み合わせに対応する信号処理パラメータを設定する設定ステップとを含むことを特徴とする。
前記設定ステップの処理により設定された前記信号処理パラメータに応じて、画質調整処理を行う信号処理ステップをさらに含むようにすることができる。
【００１３】
本発明の映像処理装置および映像処理方法、並びに記録媒体においては、記憶手段に記憶されている、映像符号化情報の組み合わせと信号処理パラメータの対応表に基づいて、プログラムの画像の表示を制御する信号処理パラメータが設定される。
【００１４】
【発明の実施の形態】
図１は、図示せぬ放送局から送られてくるディジタル放送を受信して、映像や音声を表示（出力）させるテレビジョン受像機１の構成例を示している。
【００１５】
IFデモジュレータ２は、図示せぬアンテナにおいて受信されたディジタル放送波から得られたIF（Intermidiate Frequency）信号を復調し、トランスポートストリームとしてデマルチプレクサ４に出力する。
【００１６】
また、デマルチプレクサ４には、CATVシステム、ネットワークシステム等から送信されるトランスポートストリームが、伝送路３を介して供給される。
【００１７】
デマルチプレクサ４は、供給されたトランスポートストリームを構成するトランスポートストリームパケット（以下、適宜、TSパケットと称する）から、映像データを含むTSパケットを分離し、MPEGビデオデコーダ５に出力する。
【００１８】
映像データを保持しているTSパケットは、ビデオデコーダ５において復号され、映像信号処理部６に出力される。また、MPEGビデオデコーダ５において分離された映像データを保持しているTSパケットの符号化に関連する情報を示すMPEGビデオ符号化パラメータがCPU（Central Processing Unit）８に出力される。
【００１９】
映像信号処理部６は、復号された輝度信号と色差信号からRGB信号を生成し、CRT（Cathode-Ray Tude），LCD（Liquid Crystal Display）を含む映像表示部７に映像を表示する。
【００２０】
CPU８は、ユーザの操作に対応する信号を出力するユーザインタフェース１０からの入力に対応して各部を制御する。RAM９には、CPU８が各種の処理を実行する上において必要とされるデータやプログラムが記憶される。
【００２１】
CPU８には、バス１０１を介して、HDD（Hard Disk Drive）１０２，ROM（Read Only Memory）１０３，ドライブ１０４が接続されている。また、ドライブ１０４には、記録媒体である磁気ディスク１１１，光ディスク１１２，光磁気ディスク１１３，半導体メモリ１１４が装着される。
【００２２】
次に、図１のテレビジョン受像機１の動作について、図２のフローチャートを参照して説明する。
【００２３】
ステップS１において、IFデモジュレータ２は、図示せぬアンテナにおいて受信されたディジタル放送波から得られたIF信号を復調し、トランスポートストリームを生成して、デマルチプレクサ４に出力する。
【００２４】
ステップS２において、デマルチプレクサ４は、供給されたトランスポートストリームに含まれるPSI（Program Specific Information）やSI（Service Information）から、目的の番組のビデオデータを保持しているTSパケットを分離して、MPEGビデオデコーダ５に出力する。PSIはMPEGで規定されている番組（プログラム）の仕様情報を意味し、PAT(Program Association Table)，PMT(Program Map Table)，NIT（Network Infomation Table），CAT（Conditional Access Table）の４つのテーブルと、各種のディスクプリタで構成される。SIは、放送事業者が独自に使用する情報である。
【００２５】
ステップS３において、MPEGビデオデコーダ５は、ビデオデータを含むTSパケットを、MPEG方式で復号し、輝度（Y）、色差（Cr，Cb）信号を生成して、映像信号処理部６に出力する。本発明においては、最適な映像を映像表示部７に表示させるため、映像信号処理部６において実行される信号処理が、CPU８が取得した映像信号処理パラメータに応じて制御される。そこで、MPEGビデオデコーダ５は、ビデオデータの符号化に関する情報を記述している、図３に示されるようなMPEG符号化パラメータを抽出し、CPU８に出力する。
【００２６】
図３のMPEGビデオ符号化パラメータの例では、プロファイル／レベル指定がMP／ＨＬ（Main Profile／High Level）、水平画素数が１９２０、垂直ライン数が１０８０、アスペクト比が１６：９表示、ビットレートが２２Mbps、フレームレートが３０／１．００１Hz、走査方式が順次走査（プログレッシブ走査）方式、カラー初期値、変換特性、行列係数は、それぞれITU−R勧告BT．７０９の規定値、リピートファーストフラグは２：３プルダウンの際用いられるフラグとされている。
【００２７】
ステップS４において、CPU８は、MPEGビデオデコーダ５から供給されたMPEGビデオ符号化パラメータの組み合わせに対応する映像信号処理パラメータを、RAM９に予め記憶されている、MPEGビデオ符号化パラメータと映像信号処理パラメータの対応表から検索し、設定する。例えば、供給されたMPEGビデオ符号化パラメータの組み合わせが、プロファイル／レベルがMP／HL、表示画素数／フレームレートが１９２０×１０８０／２４P、ビットレートが２２Mbps、という組み合わせの場合、CPU８は、トランスポートストリームから抽出されたTSパケットの映像データは、高画質な映画であると認識し、
ブライトネスを低くする。
シャープネスを弱める。
色温度を低くする。
NR（Noise Reduction）を切る。
VM（Velocity Moduration（ビーム速度変調））を切る。
ガンマ補正を強める。
といった映像信号処理パラメータを、RAM９に記憶されているMPEGビデオ符号化パラメータの組み合わせと映像信号処理パラメータの対応表から取得し、設定する。CPU８は、これらの映像信号処理パラメータに基づいて、映像信号処理部６における信号処理を制御することにより、暗い部分の微妙な階調、輪郭、色のすべてを柔らかなタッチで表示させることができ、また、オリジナルのフィルムの質感を表示させることが可能となる。
【００２８】
ステップS５において、映像信号処理部６は、CPU８により設定された映像信号処理パラメータに基づいて、MPEGビデオデコーダ５から供給された輝度信号と色差信号を処理し、RGB信号を生成して、映像表示部７に出力する。
【００２９】
ステップS６において、映像表示部７は、映像信号処理部６より供給されたRGB信号に基づいて映像を表示する。
【００３０】
以上においては、映像処理パラメータに基づいて映像信号処理部６における信号処理が制御されるようにしたが、図４に示すように、映像表示部７をさらに制御させるようにすることもできる。
【００３１】
本発明においては、ユーザの好みに応じてユーザがユーザインターフェース１０を操作することにより、映像信号処理パラメータの設定を変更することも可能である。ここで、設定を変更した映像信号処理パラメータは、RAM９に記憶され、その後、ユーザによって同一の番組（シリーズの番組）が選択された場合にも、同一の映像信号処理パラメータに基づいて、映像信号処理部６や映像表示部７における信号処理が制御され、映像が表示される。
【００３２】
本発明は、オーディオ信号についても適用可能である。例えば、音楽番組のデータについて信号処理する場合、ビデオ信号に関しては、上述した映像信号処理を行い、表示させるとともに、オーディオ信号について、MPEGオーディオ符号化パラメータの組み合わせから音声信号処理パラメータを設定し、音声信号処理部や音声出力部を制御させることもできる。
【００３３】
さらに、一の画面に複数のウインドウで複数の画像が同時に表示される場合、それぞれのウインドウに表示させている画像ごとに表示（出力）を制御するようにしてもよい。
【００３４】
以上においては、本発明を、テレビジョン受像機に適用した場合について説明したが、本発明は、IRD（Integrated Receiver/Decoder）、その他、ディジタルデータを処理するあらゆる装置（例えば、パーソナルコンピュータなど）に適用可能である。
【００３５】
上述した一連の処理は、ハードウエアにより実行させることもできるが、ソフトウエアにより実行させることもできる。一連の処理をソフトウエアにより実行させる場合には、そのソフトウエアを構成するプログラムが、専用のハードウエアに組み込まれているコンピュータ、または、各種のプログラムをインストールすることで、各種の機能を実行することが可能な、例えば、汎用のパーソナルコンピュータなどに、記録媒体からインストールされる。
【００３６】
この記録媒体は、図１に示すように、コンピュータとは別に、ユーザにプログラムを提供するために配布される、プログラムが記録されている磁気ディスク１１１（フロッピディスクを含む）、光ディスク１１２（CD-ROM（Compact Disk-Read Only Memory）、DVD(Digital Versatile Disk)を含む）、光磁気ディスク１１３（MD（Mini-Disk）を含む）、もしくは半導体メモリ１１４などよりなるパッケージメディアにより構成されるだけでなく、コンピュータに予め組み込まれた状態でユーザに提供される、プログラムが記録されているROM１０３やHDD１０２などで構成される。
【００３７】
なお、本明細書において、記録媒体に記録されるプログラムを記述するステップは、記載された順序に沿って時系列的に行われる処理はもちろん、必ずしも時系列的に処理されなくとも、並列的あるいは個別に実行される処理をも含むものである。
【００３８】
また、本明細書において、システムとは、複数の装置により構成される装置全体を表すものである。
【００３９】
【発明の効果】
本発明の映像処理装置および映像処理方法、並びに記録媒体のプログラムによれば、複雑な操作をすることなく、簡単に、最適な画質で番組を視ることが可能となる。
【図面の簡単な説明】
【図１】本発明を適用したテレビジョン受像機の構成例を示すブロック図である。
【図２】図１のテレビジョン受像機の動作を説明するフローチャートである。
【図３】  MPEGビデオ符号化パラメータの例を示す図である。
【図４】本発明を適用した他のテレビジョン受像機の構成例を示すブロック図である。
【符号の説明】
１  テレビジョン受像機，  ２  IFデモジュレータ，  ３  伝送路，  ４  デマルチプレクサ，  ５  MPEGビデオデコーダ，  ６  映像信号処理部，  ７  映像処理部，  ８  CPU，  ９  RAM，  １０  ユーザインタフェース，  １０１  バス，  １０２  HDD，  １０３  ROM，  １０４  ドライブ，  １１１  磁気ディスク，  １１２  光ディスク，  １１３  光磁気ディスク，  １１４  半導体メモリ
【図１】
0004915026.tif 000002
【図２】
0004915026.tif 000003
【図３】
0004915026.tif 000004
【図４】
0004915026.tif 000005